(57)【特許請求の範囲】
【請求項１】
表示面に画像を表示する表示部と、
前記表示部に対する物体の距離に応じて変化する物理量を検出する検出部と、
前記検出部により検出された物理量に基づいて、前記表示部に対して物体が接触している接触状態と、前記表示部から所定の距離未満の領域に物体が位置する近接状態と、前記表示部から前記所定の距離以上の領域に物体が位置する非近接状態とのうちいずれの状態にあるのかを判定する状態判定部と、
前記表示面に沿う方向における前記表示部に対する物体の位置を特定する位置特定部と、
前記状態判定部によって物体が前記表示部に対して近接状態になっていると判定された場合に、前記位置特定部によって特定された物体の位置を中心にして、前記検出部によって検出された物理量に応じて画像を拡大し又は画像を縮小して前記表示部に表示させることを可能にする表示制御部と、を備え、
前記表示制御部は、前記状態判定部によって物体が前記表示部に対して近接状態にあると判定された場合に、前記検出部によって検出される物理量に基づいて前記表示部に対する物体の距離が短くなると画像を拡大し、前記検出部によって検出される物理量に基づいて前記表示部に対する物体の距離が長くなると画像を縮小し、
前記表示制御部は、前記状態判定部によって前記表示部に対して物体が近接状態から接触状態に移行したと判定された場合に、拡大した画像の大きさを維持し、
前記表示制御部は、前記状態判定部によって前記表示部に対して物体が接触状態から近接状態を介して非接触状態に移行したと判定された場合に、画像の縮小を解除する
電子機器。
【請求項２】
前記表示制御部は、前記状態判定部によって物体が前記表示部に対して近接状態にあると判定したときから、前記状態判定部によって物体が前記表示部に対して接触状態にあると判定するまでの時間が所定時間以内の場合に、画像の拡大又は画像の縮小を行わない
請求項１に記載の電子機器。
【請求項３】
前記表示制御部は、画像を拡大する場合、前記位置特定部によって特定された物体の位置を中心にして所定の範囲内の画像を拡大し、又は、画像全体を拡大し、
前記表示制御部は、画像を縮小する場合、前記位置特定部によって特定された物体の位置を中心にして所定の範囲内の画像を縮小し、又は、画像全体を縮小する
請求項１又は２に記載の電子機器。
【請求項４】
前記表示制御部は、前記状態判定部によって前記表示部に対して物体が近接状態にあると判定された場合において、前記位置特定部によって前記表示部に対する物体の位置が移動していると判定された際には、画像を拡大し又は画像を縮小する中心を前記位置特定部によって特定された物体の位置に合わせて変更する
請求項１から３のいずれか１項に記載の電子機器。
【請求項５】
表示面に画像を表示する表示部と、
前記表示部に対する物体の距離に応じて変化する物理量を検出する検出部と、
前記検出部により検出された物理量に基づいて、前記表示部に対して物体が接触している接触状態と、前記表示部から所定の距離未満の領域に物体が位置する近接状態と、前記表示部から前記所定の距離以上の領域に物体が位置する非近接状態とのうちいずれの状態にあるのかを判定すると共に、前記表示面に沿う方向における前記表示部に対する物体の位置を特定し、物体が前記表示部に対して近接状態になっていると判定された場合に、特定された物体の位置を中心にして、前記検出部によって検出された物理量に応じて画像を拡大し又は画像を縮小して前記表示部に表示させることを可能にする制御部と、を備え、
前記制御部は、物体が前記表示部に対して近接状態にあると判定された場合に、前記検出部によって検出される物理量に基づいて前記表示部に対する物体の距離が短くなると画像を拡大し、前記検出部によって検出される物理量に基づいて前記表示部に対する物体の距離が長くなると画像を縮小し、
前記制御部は、前記表示部に対して物体が近接状態から接触状態に移行したと判定された場合に、拡大した画像の大きさを維持し、
前記制御部は、前記表示部に対して物体が接触状態から近接状態を介して非接触状態に移行したと判定された場合に、画像の縮小を解除する
電子機器。
【発明の詳細な説明】
【技術分野】
【０００１】
本発明は、タッチパネルを備える電子機器に関する。
【背景技術】
【０００２】
従来の電子機器には、携帯型画像表示装置がある。その携帯型画像表示装置は、筐体の表面と裏面に配置された表示部と、筐体の４つの側面に配置されたタッチセンサ部とを備える。そして、携帯型画像表示装置は、２つのタッチセンサ部によって１つの角部から離れる方向に移動する接触を検知した場合には、表示部に表示される画像を拡大し、２つのタッチセンサ部によって１つの角部に近づく方向に移動する接触を検知した場合には、表示部に表示される画像を縮小する（特許文献１参照）。
【０００３】
また、従来の電子機器には、情報処理装置がある。その情報処理装置は、表示部と受光センサとから構成されるディスプレイパネルを備える。そして、情報処理装置は、表示部に画像が表示された状態で表示部に近接する指が回転された場合、受光センサによって指の回転角度を検出し、その回転角度に応じて画像を拡大し又は縮小する（特許文献２参照）。
【先行技術文献】
【特許文献】
【０００４】
【特許文献１】特開２０１０−２６６３８号公報
【特許文献２】特開２０１０−３３１５８号公報
【発明の概要】
【発明が解決しようとする課題】
【０００５】
しかしながら、特許文献１，２に記載された発明をユーザが利用する場合、ユーザは、画像を拡大し又は画像を縮小する操作方法を記憶しておく必要がある。このため、特許文献１，２に記載された発明は、ユーザによって直感的に操作されるものではない。
【０００６】
本発明は、ユーザの直感的な操作により、画像を拡大し又は画像を縮小する電子機器を提供することを目的とする。
【課題を解決するための手段】
【０００７】
本発明の電子機器は、表示面に画像を表示する表示部と、前記表示部に対する物体の距離に応じて変化する物理量を検出する検出部と、前記検出部により検出された物理量に基づいて、前記表示部に対して物体が接触している接触状態と、前記表示部から所定の距離未満の領域に物体が位置する近接状態と、前記表示部から前記所定の距離以上の領域に物体が位置する非近接状態とのうちいずれの状態にあるのかを判定する状態判定部と、前記表示面に沿う方向における前記表示部に対する物体の位置を特定する位置特定部と、前記状態判定部によって物体が前記表示部に対して近接状態になっていると判定された場合に、前記位置特定部によって特定された物体の位置を中心にして、前記検出部によって検出された物理量に応じて画像を拡大し又は画像を縮小して前記表示部に表示させることを可能にする表示制御部と、を備えることを特徴とする。
【０００８】
また、前記表示制御部は、前記状態判定部によって物体が前記表示部に対して近接状態にあると判定された場合に、前記検出部によって検出される物理量に基づいて前記表示部に対する物体の距離が短くなると画像を拡大し、前記検出部によって検出される物理量に基づいて前記表示部に対する物体の距離が長くなると画像を縮小することが好ましい。
【０００９】
また、前記表示制御部は、前記状態判定部によって前記表示部に対して物体が近接状態から接触状態に移行したと判定された場合に、拡大した画像の大きさを維持することが好ましい。
【００１０】
また、前記表示制御部は、前記状態判定部によって前記表示部に対して物体が接触状態から近接状態を介して非接触状態に移行したと判定された場合に、画像の縮小を解除することが好ましい。
【００１１】
また、前記表示制御部は、前記状態判定部によって物体が前記表示部に対して近接状態にあると判定したときから、前記状態判定部によって物体が前記表示部に対して接触状態にあると判定するまでの時間が所定時間以内の場合に、画像の拡大又は画像の縮小を行わないことが好ましい。
【００１２】
また、前記表示制御部は、画像を拡大する場合、前記位置特定部によって特定された物体の位置を中心にして所定の範囲内の画像を拡大し、又は、画像全体を拡大し、前記表示制御部は、画像を縮小する場合、前記位置特定部によって特定された物体の位置を中心にして所定の範囲内の画像を縮小し、又は、画像全体を縮小することが好ましい。
【００１３】
また、前記表示制御部は、前記状態判定部によって前記表示部に対して物体が近接状態にあると判定された場合において、前記位置特定部によって前記表示部に対する物体の位置が移動していると判定された際には、画像を拡大し又は画像を縮小する中心を前記位置特定部によって特定された物体の位置に合わせて変更することが好ましい。
【００１４】
本発明の電子機器は、表示面に画像を表示する表示部と、前記表示部に対する物体の距離に応じて変化する物理量を検出する検出部と、前記検出部により検出された物理量に基づいて、前記表示部に対して物体が接触している接触状態と、前記表示部から所定の距離未満の領域に物体が位置する近接状態と、前記表示部から前記所定の距離以上の領域に物体が位置する非近接状態とのうちいずれの状態にあるのかを判定すると共に、前記表示面に沿う方向における前記表示部に対する物体の位置を特定し、物体が前記表示部に対して近接状態になっていると判定された場合に、特定された物体の位置を中心にして、前記検出部によって検出された物理量に応じて画像を拡大し又は画像を縮小して前記表示部に表示させることを可能にする制御部と、を備えることを特徴とする。
【００１５】
本発明の電子機器は、表示面に画像を表示する表示部と、前記表示部に対する物体の距離に応じて変化する物理量を検出する検出部と、前記検出部により検出された物理量に応じて画像を拡大し又は画像を縮小して前記表示部に表示させることを可能にする制御部と、を備えることを特徴とする。
【発明の効果】
【００１６】
本発明は、ユーザの容易な操作により、画像を拡大し又は画像を縮小する電子機器を提供することができる。
【図面の簡単な説明】
【００１７】
【図１】電子機器の一実施形態に係る携帯電話機の外観斜視図である。
【図２】携帯電話機の機能構成を示すブロック図である。
【図３】表示部に表示される画面の遷移図である。
【図４】表示部に表示される画面について説明するための第１の図である。
【図５】表示部に表示される画面について説明するための第２の図である。
【図６】携帯電話機の動作について説明するためのフローチャートである。
【発明を実施するための形態】
【００１８】
以下、本発明の実施の形態について説明する。まず、本発明の電子機器の一実施形態に係る携帯電話機１の基本構造について、図１を参照しながら説明する。図１は、電子機器の一実施形態に係る携帯電話機１の外観斜視図である。
【００１９】
携帯電話機１は、筺体２を備える。筺体２には、正面部に、タッチパネル１０と、マイク１３と、レシーバ１４とが配置される。
【００２０】
タッチパネル１０は、表示部１１と、検出部１２とを備える（図２参照）。表示部１１は、液晶表示パネル又は有機ＥＬ（エレクトロルミネッセンス）表示パネル等の画像表示パネルを備える。検出部１２は、表示部１１の表面に対応して配置される。
【００２１】
マイク１３は、携帯電話機１のユーザが通話時に発した音声を入力するために用いられる。
レシーバ１４は、携帯電話機１のユーザの通話相手が発した音声を出力するために用いられる。
【００２２】
次に、図２を参照しながら、携帯電話機１の機能構成を説明する。図２は、携帯電話機１の機能構成を示すブロック図である。
【００２３】
携帯電話機１は、上述した、タッチパネル１０（表示部１１及び検出部１２）と、マイク１３と、レシーバ１４とを備える。また、携帯電話機１は、通信部１５と、記憶部１６と、制御部１７とを備える。
【００２４】
通信部１５は、メインアンテナ（図示せず）とＲＦ回路部（図示せず）とを備える。その通信部１５は、所定の使用周波数帯で外部装置と通信を行う。具体的には、通信部１５は、上記のメインアンテナによって受信した信号を復調処理し、処理後の信号を制御部１７に供給する。また、通信部１５は、制御部１７から供給された信号を変調処理し、上記のメインアンテナを介して外部装置（基地局）に送信する。
【００２５】
記憶部１６は、例えば、ワーキングメモリを含み、制御部１７による演算処理に利用される。また、記憶部１６は、携帯電話機１の内部で動作するアプリケーションやデータベースを１又は複数記憶する。なお、記憶部１６は、着脱可能な外部メモリを兼ねていてもよい。
【００２６】
制御部１７は、携帯電話機１の全体を制御しており、表示部１１及び通信部１５に対して制御を行う。
【００２７】
以下に、本発明の一実施形態に係る携帯電話機１について詳細に説明する。携帯電話機１は、上述したように、表示部１１と、検出部１２と、制御部１７とを備える。表示部１１と、検出部１２と、制御部１７とは、入力装置３を構成する。
【００２８】
表示部１１は、表示面に画像を表示する。画像としては、例えば、文書、静止画、動画及びオブジェクト等が挙げられる。オブジェクトとは、所定の機能が割り当てられたアイコンである。
【００２９】
検出部１２は、表示部１１に対する物体の距離に応じて変化する物理量を検出する。検出部１２は、静電容量式、赤外線式又は光式等のタッチセンサである。一例として、検出部１２が静電容量式の場合には、その検出部１２は、物理量として静電容量を検出する。また、物体とは、ユーザの指や、スタイラス等のことである。
【００３０】
制御部１７は、検出部１２により検出された物理量に応じて画像を拡大し又は画像を縮小して表示部１１に表示させることを可能とする。より具体的には、制御部１７は、検出部１２により検出された物理量に基づいて、表示部１１に対して物体が接触している接触状態と、表示部１１から所定の距離未満の領域に物体が位置する近接状態と、表示部１１から所定の距離以上の領域に物体が位置する非近接状態とのうちいずれの状態にあるのかを判定する。さらに、制御部１７は、検出部１２により検出された物理量に基づいて、表示面に沿う方向における表示部１１に対する物体の位置を特定する。そして、制御部１７は、物体が表示部１１に対して近接状態になっていると判定された場合に、特定された物体の位置を中心にして、検出部１２によって検出された物理量に応じて画像を拡大し又は画像を縮小して表示部１１に表示させることを可能にする。
【００３１】
より具体的には、制御部１７は、状態判定部１７ａと、位置特定部１７ｂと、表示制御部１７ｃとを備える。
状態判定部１７ａは、検出部１２により検出された物理量に基づいて、表示部１１に対して物体が接触している接触状態と、表示部１１から所定の距離未満の領域に物体が位置する近接状態と、表示部１１から所定の距離以上の領域に物体が位置する非近接状態とのうちいずれの状態にあるのかを判定する。
【００３２】
一例として、状態判定部１７ａは、物理量（例えば、静電容量）が第１の閾値未満の場合には、表示部１１に対して物体が非近接状態にあると判定する。また、一例として、状態判定部１７ａは、物理量（例えば、静電容量）が第１の閾値以上第２の閾値未満の場合には、表示部１１に対して物体が近接状態にあると判定する。さらに、一例として、状態判定部１７ａは、物理量（例えば、静電容量）が第２の閾値以上の場合には、表示部１１に対して物体が接触状態にあると判定する。
【００３３】
位置特定部１７ｂは、検出部１２により検出された物理量に基づいて、表示面に沿う方向における表示部１１に対する物体の位置を特定する。例えば、位置特定部１７ｂは、検出部１２の座標軸（Ｘ軸及びＹ軸）においていずれの座標で物理量を検出したのかを特定することにより、表示部１１に対する物体の位置を特定する。さらに、位置特定部１７ｂは、表示部１１の表示面に沿う方向に物体が広がりを持つ場合には、その広がりにおける重心又は中心を物体の位置としてもよく、その広がりの頂部を物体の位置としてもよい。
【００３４】
表示制御部１７ｃは、状態判定部１７ａによって物体が表示部１１に対して近接状態になっていると判定された場合に、位置特定部１７ｂによって特定された物体の位置を中心にして、検出部１２によって検出された物理量に応じて画像を拡大し又は画像を縮小して表示部１１に表示させることを可能にする。表示制御部１７ｃは、物体が表示部１１に対して近接状態となる範囲内において、表示部１１に対して物体が近づけられたり遠ざけられたりすると、表示部１１に表示させる画像を拡大し又は画像を縮小する。
【００３５】
これにより、携帯電話機１は、ユーザが物体を表示部１１に近づけたり遠ざけたりすることにより（ユーザの直感的な操作により）、表示部１１に表示させる画像を拡大したり縮小したりすることができる。
【００３６】
また、表示制御部１７ｃは、状態判定部１７ａによって物体が表示部１１に対して近接状態にあると判定された場合に、検出部１２によって検出される物理量に基づいて表示部１１に対する物体の距離が短くなると画像を拡大し、検出部１２によって検出される物理量に基づいて表示部１１に対する物体の距離が長くなると画像を縮小することが好ましい。すなわち、表示制御部１７ｃは、検出部１２によって検出される物理量が、表示部１１と物体との距離が縮まることを示す場合には、表示部１１に表示される画像を拡大する。また、表示制御部１７ｃは、検出部１２によって検出される物理量が、表示部１１と物体との距離が長くなることを示す場合には、表示部１１に表示される画像を縮小する。
【００３７】
物理量に応じた画像の拡大率又は画像の縮小率は、表示制御部１７ｃに予め設定されている。また、物理量に応じた画像の拡大率又は画像の縮小率は、ユーザによって適宜設定されることも可能である。
これにより、携帯電話機１は、表示部１１に対して物体が近接状態にある場合において、表示部１１に物体が近づくと画像を拡大し、表示部１１から物体が遠ざかると画像を縮小することができる。
【００３８】
また、表示制御部１７ｃは、状態判定部１７ａによって表示部１１に対して物体が近接状態から接触状態に移行したと判定された場合に、拡大した画像の大きさを維持することが好ましい。表示制御部１７ｃは、表示部１１に対して物体が近づく場合に、表示部１１に表示される画像を徐々に拡大させる。さらに、表示制御部１７ｃは、表示部１１に物体が接触した場合に、拡大した画像の平面サイズ（拡大率）を維持する。
これにより、携帯電話機１は、表示部１１と物体の距離に応じた処理を行うことができる。
【００３９】
また、表示制御部１７ｃは、状態判定部１７ａによって表示部１１に対して物体が接触状態から近接状態を介して非接触状態に移行したと判定された場合に、画像の縮小を解除することが好ましい。表示制御部１７ｃは、表示部１１から物体を遠ざける場合には、表示部１１に表示される画像を徐々に縮小させる。さらに、表示制御部１７ｃは、表示部１１に対して物体が非近接状態になった場合には、表示部１１に表示される画像の縮小を停止する。すなわち、表示制御部１７ｃは、表示部１１に表示される画像の平面サイズが、画像の拡大又は縮小を行う前の初期の平面サイズ（拡大率、縮小率）に戻った場合には、画像の拡大又は縮小を行う処理を停止する。
これにより、携帯電話機１は、表示部１１と物体の距離に応じた処理を行うことができる。
【００４０】
また、表示制御部１７ｃは、状態判定部１７ａによって物体が表示部１１に対して近接状態にあると判定したときから、状態判定部１７ａによって物体が表示部１１に対して接触状態にあると判定するまでの時間が所定時間以内の場合に、画像の拡大、又は、画像の縮小を行わないことが好ましい。
【００４１】
時間は、計時部（図示せず）によって計時される。すなわち、表示制御部１７ｃは、表示部１１に対して物体が近接状態になったと判定したときに、計時部に計時を開始させる。さらに、表示制御部１７ｃは、計時部によって計時される時間が所定時間以内に、表示部１１に物体が接触したか否かを判断する。表示制御部１７ｃは、所定時間以内に表示部１１に対して物体が接触したと判断した場合には、画像を拡大する処理、又は、画像を縮小する処理を行わない。
これにより、携帯電話機１は、画像を拡大する場合に、一定の時間の重みを付けることができる。
【００４２】
また、表示制御部１７ｃは、画像を拡大する場合、位置特定部１７ｂによって特定された物体の位置を中心にして所定の範囲内の画像を拡大し、又は、画像全体を拡大することが好ましい。
また、表示制御部１７ｃは、画像を縮小する場合、位置特定部１７ｂによって特定された物体の位置を中心にして所定の範囲内の画像を縮小し、又は、画像全体を縮小することが好ましい。
所定の範囲（領域）の外形は、円形や楕円形や矩形等の任意の形状である。また、物体の位置（所定の範囲の中心）から所定の範囲の周縁部までの距離は、予め設定され、又はユーザによって適宜設定されている。
表示制御部１７ｃは、画像を拡大する場合に、所定の範囲内の画像を拡大する、又は、画像を縮小することと、画像全体を拡大する、又は、縮小することとを切り替え可能とすることができる。
これにより、携帯電話機１は、表示部１１に表示される画像を拡大する、又は、画像を縮小することができる。
【００４３】
また、表示制御部１７ｃは、状態判定部１７ａによって表示部１１に対して物体が近接状態にあると判定された場合において、位置特定部１７ｂによって表示部１１に対する物体の位置が移動していると判定された際には、画像を拡大し又は画像を縮小する中心を位置特定部１７ｂによって特定された物体の位置に合わせて変更することが好ましい。
【００４４】
表示部１１に対して物体が近接状態にある場合には、表示制御部１７ｃは、物体の現在位置が画像を拡大するときの中心となるように、物体の移動に応じてその中心を移動させる。一例として、表示部１１の表示面に沿って物体が表示部１１の上方に移動する場合には、表示制御部１７ｃは、画像を拡大するときの中心を表示部１１の上方に移動させる。
これにより、携帯電話機１は、物体の位置に応じた画像領域を拡大することができる。
【００４５】
次に、携帯電話機１の動作について説明する。図３は、表示部１１に表示される画面の遷移図である。図４は、表示部１１に表示される画面について説明するための第１の図である。図５は、表示部１１に表示される画面について説明するための第２の図である。図６は、携帯電話機１の動作について説明するためのフローチャートである。
【００４６】
図６に示すステップＳＴ１において、表示制御部１７ｃは、表示部１１に画像を表示させる。例えば、図３（Ａ）に示すように、表示制御部１７ｃは、複数のオブジェクト２１を表示部１１に表示させる。
【００４７】
ステップＳＴ２において、検出部１２は、起動する。これにより、検出部１２は、物理量を検出することが可能になる。
【００４８】
ステップＳＴ３において、状態判定部１７ａは、検出部１２によって検出された物理量に基づいて、表示部１１に対して物体が近接状態になったか否かを判断する。物体が近接状態になっていない場合（Ｎｏ）には、ステップＳＴ３の判断が再度行われる。物体が近接状態になっている場合（Ｙｅｓ）には、処理は、ステップＳＴ４に進む。
【００４９】
ステップＳＴ４において、位置特定部１７ｂは、表示部１１の表示面に沿う方向における物体の位置を特定する。
【００５０】
ステップＳＴ５において、表示制御部１７ｃは、ステップＳＴ４において特定された物体の位置を中心にして、検出部１２によって検出された物理量に応じて、表示部１１に表示される画像を拡大し又は画像を縮小する。拡大された画像又は縮小された画像は、表示部１１に表示される。
【００５１】
例えば、図３（Ｂ）に示すように、表示制御部１７ｃは、物体（ユーザの指）が表示部１１に近づくと、画像（オブジェクト２１）を拡大して表示部１１に表示させる。また、図４に示すように、物体（ユーザの指）が表示部１１に近づくと、表示制御部１７ｃは、位置特定部１７ｂによって特定された物体の位置を中心にして所定の範囲内の画像（オブジェクト２１）を拡大して表示部１１に表示させる。さらに、図５に示すように、物体（ユーザの指）が移動する場合には、表示制御部１７ｃは、画像（オブジェクト２１）を拡大し又は画像（オブジェクト２１）を縮小するときの中心位置をその物体の移動に合わせて移動させる。
【００５２】
ステップＳＴ６において、状態判定部１７ａは、検出部１２によって検出された物理量に基づいて、表示部１１に対して物体が接触状態になったか否かを判断する。物体が接触状態になっていない場合（Ｎｏ）には、処理は、ステップＳＴ４に戻る。物体が接触状態になった場合（Ｙｅｓ）には、処理は、ステップＳＴ７に進む。
【００５３】
ステップＳＴ７において、表示制御部１７ｃは、例えば、図３（Ａ）に示す複数のオブジェクトのうちの１つが選択されたとして、物体が接触した位置に表示されるオブジェクトの色又は大きさを変更して表示部１１に表示させる。
【００５４】
以上説明したように、本実施形態の携帯電話機１によれば、以下の効果が奏される。
すなわち、携帯電話機１は、ユーザが物体を表示部１１に近づけたり遠ざけたりすることにより（ユーザの直感的な操作により）、表示部１１に表示させる画像を拡大したり縮小したりすることができる。
【００５５】
また、携帯電話機１は、表示部１１に対して物体が近接状態にある場合において、表示部１１に物体が近づくと画像を拡大し、表示部１１から物体が遠ざかると画像を縮小することができる。
また、携帯電話機１は、表示部１１と物体の距離に応じた処理を行うことができる。
また、携帯電話機１は、画像を拡大する、又は、画像を縮小する場合に、一定の時間の重みを付けることができる。
【００５６】
これにより、携帯電話機１は、ユーザが物体を表示部１１に近づけたり遠ざけたりすることにより（ユーザの容易な操作により）、表示部１１に表示させる画像を拡大したり縮小したりすることができる。
【００５７】
なお、本発明の電子機器は、上述した携帯電話機１に限定されることはなく、例えば、ＰＨＳ（Ｐｅｒｓｏｎａｌ  Ｈａｎｄｙｐｈｏｎｅ  Ｓｙｓｔｅｍ）やＰＤＡ（Ｐｅｒｓｏｎａｌ  Ｄｉｇｉｔａｌ  Ａｓｓｉｓｔａｎｔ）やポータブルゲーム機やポータブルナビゲーションデバイス等であってもよい。
【００５８】
なお、拡大又は縮小の倍率はユーザ任意に設定できるものとしてもよい。また、物理量が変化する速度により、画像の拡大又は画像の縮小の倍率を変更してもよい。例えば、物体が表示部に対して速く近付く（速度が速い）場合は拡大倍率が大きくなり、反対に物体が表示部に対してゆっくりと近付く（速度が遅い）場合は拡大倍率が小さくなるとしてもよい。
【００５９】
また、上述した実施形態では、検出部は、表示部に対する物体の距離に応じて変化する物理量を検出するとしたが、表示部に対する物体の距離を検出するものであってもよい。また、表示部に対する物体の距離は物理量から換算してもよく、測距センサや光学式のセンサを適用してもよい。なお、表示部に対する物体の距離は所定の範囲内の距離であり、所定の範囲内の距離に応じて表示部の画像を拡大し又は画像を縮小するものとする。
【符号の説明】
【００６０】
１  携帯電話機（電子機器）
１１  表示部
１２  検出部
１７  制御部
１７ａ  状態判定部
１７ｂ  位置特定部
１７ｃ  表示制御部
【図１】
0005650583.tif 000002
【図２】
0005650583.tif 000003
【図３】
0005650583.tif 000004
【図４】
0005650583.tif 000005
【図５】
0005650583.tif 000006
【図６】
0005650583.tif 000007